(57)【要約】      （修正有）【課題】調芯による光損失を従来よりも正確に測定することが可能な光レセプタクル調芯装置を提供する。【解決手段】第１の光レセプタクル１０１と第２の光レセプタクル１０２とを調芯する光レセプタクル調芯装置１００において、特定の光強度を有する測定光を生成する光源１０３と、光源１０３から出射された測定光が入射されると共にその測定光を伝送する光導波路１０４と、光導波路１０４の端部を収容するフェルール１０５であって、フェルール１０５と第１の光レセプタクル１０１とを嵌合させることにより、第１の光レセプタクル１０１が光導波路１０４に対して自動調芯されるフェルール１０５と、光導波路１０４から第１の光レセプタクル１０１と第２の光レセプタクル１０２とを通過して出射された測定光が入射されると共にその測定光の光強度を検出する光強度検出器１０６と、を備えている。【選択図】図１
2016040574.tif 000002
【特許請求の範囲】
【請求項１】
第１の光レセプタクルと第２の光レセプタクルとを調芯する光レセプタクル調芯装置において、
特定の光強度を有する測定光を生成する光源と、
前記光源から出射された測定光が入射されると共にその測定光を伝送する光導波路と、
前記光導波路の端部を収容するフェルールであって、前記フェルールと前記第１の光レセプタクルとを嵌合させることにより、前記第１の光レセプタクルが前記光導波路に対して自動調芯されるフェルールと、
前記光導波路から前記第１の光レセプタクルと前記第２の光レセプタクルとを通過して出射された測定光が入射されると共にその測定光の光強度を検出する光強度検出器と、
を備えていることを特徴とする光レセプタクル調芯装置。
【請求項２】
前記光強度検出器の前段に配置されており、前記光導波路から前記第１の光レセプタクルと前記第２の光レセプタクルとを通過して出射された測定光が入射されると共にその測定光の光路を決定するピンホールが形成された板部材を更に備えている請求項１に記載の光レセプタクル調芯装置。
【請求項３】
前記光強度検出器は、受光面積が２０ｍｍ2以上である請求項１又は２に記載の光レセプタクル調芯装置。
【請求項４】
前記第１の光レセプタクルはスタブからなり、
前記第２の光レセプタクルはレンズホルダからなる請求項１から３の何れか一項に記載の光レセプタクル調芯装置。
【発明の詳細な説明】
【技術分野】
【０００１】
本発明は、第１の光レセプタクルと第２の光レセプタクルとを調芯する光レセプタクル調芯装置に関する。
【背景技術】
【０００２】
図２に示すように、従来技術に係る光レセプタクル調芯装置２００では、光源２０１を駆動することにより特定の光強度を有する測定光が生成される。光源２０１で生成された測定光は、第１の光導波路２０２（例えば、光ファイバ）を介して１×２合分波器２０３に入射される。１×２合分波器２０３から出射された測定光は、第２の光導波路２０４（例えば、光ファイバ）を介して第１の光レセプタクル２０５（例えば、スタブ）に入射される。第１の光レセプタクル２０５から出射された測定光は、第２の光レセプタクル２０６（例えば、レンズホルダ）に入射される。第２の光レセプタクル２０６から出射された測定光は、反射板２０７（例えば、ミラー）に入射される。
【０００３】
その後、反射板２０７で反射された測定光は、再び第２の光レセプタクル２０６に入射される。第２の光レセプタクル２０６から出射された光は、第１の光レセプタクル２０５に入射される。第１の光レセプタクル２０５から出射された測定光は、第２の光導波路２０４を介して１×２合分波器２０３に入射される。１×２合分波器２０３から出射された測定光は、第３の光導波路２０８（例えば、光ファイバ）を介して光強度検出器２０９（例えば、光パワーメータ）に入射される。
【０００４】
なお、第２の光導波路２０４は端部がフェルール２１０に収容されており、フェルール２１０と第１の光レセプタクル２０５とが嵌合されているため、第１の光レセプタクル２０５は第２の光導波路２０４に対して自動調芯されている。
【０００５】
光レセプタクル調芯装置２００を使用して第１の光レセプタクル２０５と第２の光レセプタクル２０６とを調芯する際には、最終的に光強度検出器２０９で検出される測定光の光強度が最大となる位置で第１の光レセプタクル２０５と第２の光レセプタクル２０６とを光結合させる。
【先行技術文献】
【特許文献】
【０００６】
【特許文献１】特開昭６４−８０９１９号公報
【発明の概要】
【発明が解決しようとする課題】
【０００７】
ところで、光レセプタクル調芯装置２００では、光源２０１で生成された測定光と光強度検出器２０９に入射された測定光との光強度差に基づいて調芯による光損失を測定しているが、１×２合分波器２０３で約３ｄＢの合分波損失が発生し、反射板２０７で約０．４ｄＢの反射損失が発生し、フェルール２１０で約０．２ｄＢの嵌合損失が発生し、特に、１×２合分波器２０３での合分波損失と反射板２０７での反射損失が大きいため、調芯による光損失を正確に測定することはできない。
【０００８】
そこで、本発明の目的は、調芯による光損失を従来よりも正確に測定することが可能な光レセプタクル調芯装置を提供することにある。
【課題を解決するための手段】
【０００９】
この目的を達成するために創案された本発明は、第１の光レセプタクルと第２の光レセプタクルとを調芯する光レセプタクル調芯装置において、特定の光強度を有する測定光を生成する光源と、前記光源から出射された測定光が入射されると共にその測定光を伝送する光導波路と、前記光導波路の端部を収容するフェルールであって、前記フェルールと前記第１の光レセプタクルとを嵌合させることにより、前記第１の光レセプタクルが前記光導波路に対して自動調芯されるフェルールと、前記光導波路から前記第１の光レセプタクルと前記第２の光レセプタクルとを通過して出射された測定光が入射されると共にその測定光の光強度を検出する光強度検出器と、を備えている光レセプタクル調芯装置である。
【００１０】
前記光強度検出器の前段に配置されており、前記光導波路から前記第１の光レセプタクルと前記第２の光レセプタクルとを通過して出射された測定光が入射されると共にその測定光の光路を決定するピンホールが形成された板部材を更に備えていると良い。
【００１１】
前記光強度検出器は、受光面積が２０ｍｍ2以上であると良い。
【００１２】
前記第１の光レセプタクルはスタブからなり、前記第２の光レセプタクルはレンズホルダからなると良い。
【発明の効果】
【００１３】
本発明によれば、調芯による光損失を従来よりも正確に測定することが可能な光レセプタクル調芯装置を提供することができる。
【図面の簡単な説明】
【００１４】
【図１】本発明に係る光レセプタクル調芯装置を示す概略図である。
【図２】従来技術に係る光レセプタクル調芯装置を示す概略図である。
【発明を実施するための形態】
【００１５】
以下、本発明の好適な実施の形態を添付図面にしたがって説明する。
【００１６】
図１に示すように、本発明の好適な実施の形態に係る光レセプタクル調芯装置１００は、第１の光レセプタクル１０１と第２の光レセプタクル１０２とを調芯するものであり、特定の光強度を有する測定光を生成する光源１０３と、光源１０３から出射された測定光が入射されると共にその測定光を伝送する光導波路１０４と、光導波路１０４の端部を収容するフェルール１０５であって、フェルール１０５と第１の光レセプタクル１０１とを嵌合させることにより、第１の光レセプタクル１０１が光導波路１０４に対して自動調芯されるフェルール１０５と、光導波路１０４から第１の光レセプタクル１０１と第２の光レセプタクル１０２とを通過して出射された測定光が入射されると共にその測定光の光強度を検出する光強度検出器１０６と、を備えている。
【００１７】
第１の光レセプタクル１０１はスタブ等からなり、第２の光レセプタクル１０２はレンズホルダ等からなり、光導波路１０４は光ファイバ等からなる。
【００１８】
光強度検出器１０６は、受光面積が２０ｍｍ2以上であることが望ましい。従来技術に係る光レセプタクル調芯装置２００では、測定光は、第３の光導波路２０８を介して光強度検出器２０９に入射されることから、光強度検出器２０９に到達するまでの間に殆ど拡散されない。これに対して、本実施の形態に係る光レセプタクル調芯装置１００では、測定光は、空間を介して光強度検出器１０６に入射されることから、光強度検出器１０６に到達するまでの間に拡散される。そのため、光強度検出器１０６の受光面積が小さい場合（即ち、光強度検出器２０９の受光面積（３ｍｍ2程度）と同程度である場合）、測定光の僅か一部のみが光強度検出器１０６に入射されることになり、光強度検出器１０６で検出される測定光の光強度の絶対値が極めて小さくなる。そうすると、第１の光レセプタクル１０１と第２の光レセプタクル１０２との相対位置が僅かに動いた場合や光損失の僅かな変化を検出することが困難となり、調芯精度や光損失の測定精度が低下する虞がある。つまり、調芯精度や光損失の測定精度が低下することを抑制する観点から、光強度検出器１０６の受光面積を２０ｍｍ2以上として測定光の殆ど全てが光強度検出器１０６に入射されるようにすることが好ましい。
【００１９】
なお、光レセプタクル調芯装置１００は、光強度検出器１０６の前段（例えば、直前）に配置されており、光導波路１０４から第１の光レセプタクル１０１と第２の光レセプタクル１０２とを通過して出射された測定光が入射されると共にその測定光の光路を決定するピンホール１０７が形成された板部材１０８を更に備えていることが望ましい。
【００２０】
これにより、非常に多数の第１の光レセプタクル１０１と第２の光レセプタクル１０２とを調芯したり、調芯による光損失を測定したりする際に（即ち、量産時に）、製造公差等に起因して第２の光レセプタクル１０２から光強度検出器１０６に至る光路がばらつくことを抑制することができ、都度、光強度検出器１０６の位置をずらす等の対策が不要となり、調芯や光損失の測定に掛かるコストを大幅に削減することが可能となる。
【００２１】
以上の通り、光レセプタクル調芯装置１００では、１×２合分波器２０３や反射板２０７を使用していないため、嵌合損失と比較して光損失の測定に与える影響が大きい合分波損失や反射損失が発生せず、調芯による光損失を従来よりも正確に測定することが可能となる。
【符号の説明】
【００２２】
１００  光レセプタクル調芯装置
１０１  第１の光レセプタクル
１０２  第２の光レセプタクル
１０３  光源
１０４  光導波路
１０５  フェルール
１０６  光強度検出器
１０７  ピンホール
１０８  板部材
【図１】
2016040574.tif 000003
【図２】
2016040574.tif 000004